(57)【要約】【課題】天井照明面積を維持しつつ乗りかご内の付属品との干渉を回避可能なエレベータ装置及びエレベータ乗りかごを提供する。【解決手段】昇降路２１内を上下移動する乗りかご２０及び釣り合いおもり２３と、一端に乗りかごを他端に釣り合いおもりを吊持する主索２２と、主索２２を巻き上げる巻上機２４を備えたエレベータ装置において、乗りかご２０の天井部に設置された照明装置２を覆う第１の遮蔽板９及び第２の遮蔽板１０と、第１の遮蔽板９を乗りかご内下方に回動可能とする第１の開閉ヒンジ１３ａと、第２の遮蔽板１０を乗りかご内下方に回動可能とする第２の開閉ヒンジ１３ｂとを設け、第２の開閉ヒンジ１３ｂを、トルク式開閉ヒンジで構成し、乗りかごの出入口とは反対側へ所定の距離水平移動可能とする。【選択図】図１
2015003805.tif 000002
【特許請求の範囲】
【請求項１】
昇降路内を上下移動する乗りかご及び釣り合いおもりと、一端に前記乗りかごを他端に前記釣り合いおもりを吊持する主索と、前記主索を巻き上げる巻上機を備えたエレベータ装置において、
前記乗りかごの天井部に設置された照明装置を覆う第１の遮蔽板及び第２の遮蔽板と、
前記第１の遮蔽板の一端であって前記乗りかごの出入口とは反対側に取り付けられ、前記第１の遮蔽板を乗りかご内下方に回動可能とする第１の開閉ヒンジと、
前記第２の遮蔽板の一端であって前記乗りかごの出入口側に取り付けられ、前記第２の遮蔽板を乗りかご内下方に回動可能とする第２の開閉ヒンジとを有し、
前記第２の開閉ヒンジは、トルク式開閉ヒンジであって、前記乗りかごの出入口とは反対側へ所定の距離水平移動可能であることを特徴とするエレベータ装置。
【請求項２】
請求項１記載のエレベータ装置において、
前記第２の遮蔽板は、前記第１の遮蔽板が前記第１の開閉ヒンジにより下方に回動した後、前記第２の開閉ヒンジが所定の距離水平移動した後、下方に回動することを特徴とするエレベータ装置。
【請求項３】
請求項２に記載のエレベータ装置において、
前記乗りかごは、
乗りかご側板上部に取り付けられ、乗りかご出入口側から前記出入口に対向する側板へ向かい延設された遮蔽板取枠と、
前記遮蔽板枠に固定され前記出入口に対向する側板へ向かい延設されたスライドレール取付枠と、
前記スライドレール取付枠内に設けられ、前記第２の開閉ヒンジを水平方向に移動可能とするスライドレールとを有することを特徴とするエレベータ装置。
【請求項４】
請求項３に記載のエレベータ装置において、
前記第２の遮蔽板の上面に一端が固定され乗りかご天井部に向かい立設する第１の落下防止金具を有し、
前記第１の落下防止金具は、前記遮蔽板枠の上面と接触可能な凸状部を上部に備え、
前記第２の開閉ヒンジが水平方向へ移動し、前記第１の落下防止金具が前記遮蔽板枠の所定の位置に形成された切欠きに到達したとき、前記第２の遮蔽板は下方に回動することを特徴とするエレベータ装置。
【請求項５】
請求項１記載のエレベータ装置において、
前記第１の遮蔽板の上面端部であって、前記第１の開閉ヒンジとは反対側に一端を固定された第２の落下防止金具と、
前記第２の遮蔽板の上面端部であって、前記第２の開閉ヒンジとは反対側に一端を固定された第３の落下防止金具とを有することを特徴とするエレベータ装置。
【請求項６】
請求項４に記載のエレベータ装置において、
前記遮蔽板枠の上面であって、前記第１の落下防止金具が備える凸状部に対向する領域に設けられた消音部材を有することを特徴とするエレベータ装置。
【請求項７】
主索に接続され、巻上機による前記主索の巻上により昇降路内を釣り合いおもりと共に上下移動するエレベータ乗りかごにおいて、
前記乗りかごの天井部に設置された照明装置を覆う第１の遮蔽板及び第２の遮蔽板と、
前記第１の遮蔽板の一端であって前記乗りかごの出入口とは反対側に取り付けられ、前記第１の遮蔽板を乗りかご内下方に回動可能とする第１の開閉ヒンジと、
前記第２の遮蔽板の一端であって前記乗りかごの出入口側に取り付けられ、前記第２の遮蔽板を乗りかご内下方に回動可能とする第２の開閉ヒンジとを有し、
前記第２の開閉ヒンジは、トルク式開閉ヒンジであって、前記乗りかごの出入口とは反対側へ所定の距離水平移動可能であることを特徴とするエレベータ乗りかご。
【請求項８】
請求項７記載のエレベータ乗りかごにおいて、
前記第２の遮蔽板は、前記第１の遮蔽板が前記第１の開閉ヒンジにより下方に回動した後、前記第２の開閉ヒンジが所定の距離水平移動した後、下方に回動することを特徴とするエレベータ乗りかご。
【発明の詳細な説明】
【技術分野】
【０００１】
本発明は、エレベータ装置に係り、特に、エレベータ乗りかご天井部の照明装置を覆う遮蔽板を有すエレベータ装置及びエレベータ乗りかごに関する。
【背景技術】
【０００２】
エレベータかご天井部の照明装置を覆う遮蔽板を有するエレベータ装置として特開２０１０−６５７２号公報（特許文献１）がある。特許文献１では、エレベータ乗りかご天井部に、照明装置を覆う成形目地枠付アクリルまたはガラスクロスの遮蔽板が設けられており、この遮蔽板の一端が開閉ヒンジにより支持され、他端がラッチ部とフック部からなるロック装置に固定され、ロック装置を解除することにより上記開閉ヒンジを中心に遮蔽板が回動し解放状態とする構造を備えている。
【先行技術文献】
【特許文献】
【０００３】
【特許文献１】特開２０１０―６５７２号公報
【発明の概要】
【発明が解決しようとする課題】
【０００４】
しかしながら、特許文献１では遮蔽板は一端に設けられた開閉ヒンジにより支持され回動する構造であるため、乗りかご内に、例えば液晶モニター等の付属品が設置さいる場合、この付属品と干渉する恐れがある。そのため、付属品との干渉をさけるべく遮蔽板部寸法を狭くすると天井照明範囲や意匠性を損なうことが生じる。
本発明は、天井照明面積を維持しつつ乗りかご内の付属品との干渉を回避可能なエレベータ装置及びエレベータの乗りかごを提供することを目的とする。
【課題を解決するための手段】
【０００５】
本発明は、昇降路内を上下移動する乗りかご及び釣り合いおもりと、一端に乗りかごを他端に釣り合いおもりを吊持する主索と、前記主索を巻き上げる巻上機を備えたエレベータ装置において、上記乗りかごの天井部に設置された照明装置を覆う第１の遮蔽板及び第２の遮蔽板と、上記第１の遮蔽板の一端であって乗りかごの出入口とは反対側に取り付けられ、上記第１の遮蔽板を乗りかご内下方に回動可能とする第１の開閉ヒンジと、上記第２の遮蔽板の一端であって乗りかごの出入口側に取り付けられ、前記第２の遮蔽板を乗りかご内下方に回動可能とする第２の開閉ヒンジとを有し、上記第２の開閉ヒンジは、トルク式開閉ヒンジであって、乗りかごの出入口とは反対側へ所定の距離水平移動可能であることを特徴とする。
【発明の効果】
【０００６】
本発明よれば、天井照明面積を維持しつつ乗りかご内の付属品との干渉回避可能なエレベータ装置及びエレベータの乗りかごを提供することができる。
【０００７】
上記した以外の課題、構成及び効果は、以下の実施形態の説明により明らかにされる。
【図面の簡単な説明】
【０００８】
【図１】本発明の実施例に係るエレベータ乗りかごの上部断面図である。
【図２】図１における遮蔽板付近の拡大断面図である。
【図３】本発明の実施例に係るエレベータ装置の全体構成図である。
【図４】図２における遮蔽板付近のＢ−Ｂ断面図である。
【図５】図２における遮蔽板付近のＡ−Ａ断面図である。
【発明を実施するための形態】
【０００９】
以下、本発明の実施例を図面を用いて説明する。
【実施例１】
【００１０】
図３は、本発明の実施例に係るエレベータ装置の全体構成図である。エレベータ装置は、昇降路２１内を後述するガイドレールに沿って上下動可能な乗りかご２０と釣り合いおもり２３、乗りかご２０と釣り合いおもり２３を連結するロープ等の主索２２、主索２２の一端が乗りかご２０に固定され、シーブに巻き掛けられた巻上機２４を備えている。そして主索２２は、シーブに巻きつけられた後、乗りかご２０と釣り合いおもり２３との間の距離をお互いが衝突することがないように適度な隙間に調整するための反らせ車２５に巻きかけられ、多端を釣り合いおもり２３に連結している。巻上機２４を駆動することによって、乗りかご２０側または釣り合いおもり２３側のロープが巻き上げられて乗りかご２０を最下階と最上階の間で昇降するよう構成している。そして、各階層の乗場には、乗場敷居２７上を摺動する開閉扉としての乗場戸２６が備えられている。また、乗りかご２０は図示しない乗りかご敷居とこの乗りかご敷居上を摺動する開閉扉としての乗りかご戸が設けられている。
【００１１】
図１は、本発明の実施例に係る乗りかごの上部断面図である。エレベータ乗りかご２０は、上天井１、周囲側板となる３方に設けられた側板３、図示しない乗りかご戸が設けられた出入口部に相当するかご前柱４、出入口上部枠６、出入口上部枠６に設置されている乗りかご内付属品である液晶モニター８、４方を取り囲む上部側板５により構成されている。上天井１には、照明装置２、上天井１と締付固定された遮蔽板取付用枠７が取り付けられている。また、固定開閉部を有する第１の遮蔽板９、水平移動開閉部を有する第２の遮蔽板１０、第１の遮蔽板９の開閉構造装置としてラッチ部とロック部から構成されるロック装置１１ａ、第２の遮蔽板１０の開閉装置としてのロック装置１１ｂとロック装置１１ａ、１１ｂのロック部の施錠・開錠である開閉レバー１２ａ、１２ｂを備えている。ここで第１の遮蔽板９及び第２の遮蔽板１０は、例えば、アクリル製の遮蔽板またはガラス繊維の遮蔽板である。
【００１２】
第1の遮蔽板９の固定開閉部である第１の開閉ヒンジ１３ａ、第２の遮蔽板１０の水平移動開閉部である第２の開閉ヒンジ１３ｂ、第１の遮蔽板９の開閉時において、第１の遮蔽板９の落下を防止するために設けられ一端を第１の遮蔽板の上面に固定された第２の落下防止金具１６ａ、第２の遮蔽板１０の開閉時において、第２の遮蔽板の落下を防止するために設けられ一端を第２の遮蔽板の上面に固定された第３の落下防止金具１６ｂ及び後述する第２の開閉ヒンジ１３ｂの水平移動時において第２の遮蔽板１０の落下を防止するための第１の落下防止金具１９が設けられている。
【００１３】
ここで遮蔽板の開閉動作について説明する。開閉レバー１２ａによりロック装置１１ａを開錠し、固定開閉部である第１の開閉ヒンジ１３ａを中心に第１の遮蔽板９を下方に回動し開く。その後、開閉レバー１２ｂによりロック装置１１ｂを開錠し、水平移動開閉部である第２の開閉ヒンジ１３ｂを第１の遮蔽板の方向、すなわち乗りかご２０の乗りかご戸設置側とは反対方向に水平移動し、第２の開閉ヒンジ１３ｂを中心に第２の遮蔽板１０を下方に回動し開く。図１において、第１の遮蔽板９の下方への回動軌跡及び第２の遮蔽板１０の下方への回動軌跡を点線で示し、第２の落下防止金具１６ａの第１の遮蔽板９上面への固定点の移動軌跡と、第３の落下防止金具１６ｂの第２の遮蔽板１０上面への固定点の移動軌跡を一点鎖線で示している。図１に示されるように、かご内付属品である液晶モニター８に干渉しない位置まで第２の開閉ヒンジ１３ｂをスライドさせて第２の遮蔽板１０を開閉させる構造となっている。
【００１４】
図２は、図１における遮蔽板付近の拡大断面図である。上述した遮蔽板取付用枠７内部に設置されている遮蔽板枠７ａにスライドレール取付用枠１５が取り付けられて、スライドレール取付用枠１５にスライドレール１４（詳細は後述）が取り付く構成となっている。水平移動開閉部である第２の開閉ヒンジ１３ｂはトルク式開閉ヒンジで構成されており、Ｌ字型構造の吊り下げ部枠１７と第２の遮蔽板１０とで固定されている。なお、本実施例においては、吊り下げ部枠１７の構造がＬ字型構造である例に説明するがこれに限られず、コ字型構造としてもよい。
【００１５】
また第２の開閉ヒンジ１３ｂを水平移動中において第２の遮蔽板１０が落下することを防止する第１の落下防止金具１９がその一端を第２の遮蔽板１０の上面に固定し取り付けられている。この第１の落下防止金具１９は、開閉レバー１２ｂによりロック装置１１ｂを開錠した際に不意の落下を防ぐために設けられている。また、第１の落下防止金具１９は開閉ヒンジ１３ｂの水平方向への移動量を規定する機能も備えている。この水平方向移動量の規定については後述する。
【００１６】
図４は、図１における遮蔽板付近のＢ−Ｂ断面図である。第１の落下防止金具１９は第２の遮蔽板１０の上面に締結されており、第１の落下防止金具１９には上部に落下防止用ボルト１９ａが締結固定されており、第２の遮蔽板１０を開閉する際に開閉レバー１２ｂでロック装置１１ｂを開錠した時に下方へ下がるのを遮蔽板枠７ａで受け止める構造となっている。また遮蔽板枠７ａの落下防止用ボルト１９ａと対向する面にフェルト７ｂが設置されている。フェルト７ｂは、落下防止用ボルト１９ａと遮蔽板枠７ａとの摩擦音を低減する。なお、本実施例においては、落下防止用ボルト１９ａを第１の落下防止金具１９の上部に締結固定するとしたがこれに限られない。例えば、第１の落下防止金具１９の上部に、遮蔽板枠７ａの上面に突き出る凸状部を有するものではあればよい。また、フェルト７ｂに代えて繊維状の消音部材を遮蔽板枠７ａの上面に設ける構成としてもよい。
【００１７】
第２の遮蔽板１０を全開する際は、遮蔽板枠７ａにあらかじめ設けている切欠き部から落下防止用ボルト１９ａが外れることにより第２の遮蔽板１０はトルク式開閉ヒンジである第２の開閉ヒンジ１３ｂを中心に下方へ回動し全開状態となる。ここで、図２において、遮蔽板枠７ａに設けられた切欠き７ｃと第１の落下防止金具１９との距離Ｌ１は、トルク式開閉ヒンジである第２の開閉ヒンジ１３ｂの水平方向移動量を規定している。ここで第２の開閉ヒンジ１３ｂをトルク式開閉ヒンジとすることによる効果を説明する。仮に、第２の開閉ヒンジ１３ｂを一般的な開閉ヒンジとした場合、第３の落下防止金具１６ｂの引きバネによるバネ力のみが作用するため、第２の遮蔽板１０を支える保守員に掛かる荷重が軽減されるだけにとどまり急激な落下防止を避けられない。これに対し、第２の開閉ヒンジ１３ｂをトルク式開閉ヒンジとすることにより、第３の落下防止金具１６ｂによるバネ力とトルク式開閉ヒンジの開閉力とが作用し、第２の遮蔽板１０のスムーズな開閉や急激な落下防止が図られる。これにより、保守員が点検する際の安全が確保される。
【００１８】
またトルク式開閉ヒンジを用いることで、第２の遮蔽板１０を全開させずとも、第２の遮蔽板１０内の清掃作業に必要な角度での調整が可能となり、清掃作業時の作業時間短縮が図られる。
【００１９】
図５は、図２における遮蔽板付近のＡ−Ａ断面図である。スライドレール１４は、左右に配置されるＬ字型構造である吊り下げ部枠１７と同じく左右に設置されるスライドレール取付用枠１５により挟持される。第２の遮蔽板１０のふらつきを防止するため吊り下げ部枠１７との間にふらつき防止用枠１８を設置している。そして水平移動開閉部である第２の遮蔽板１０に設置されているトルク式開閉ヒンジである第２の開閉ヒンジ１３ｂが吊り下げ部枠１７と第２の遮蔽板１０とを接続する構造としている。
【００２０】
本実施例によれば、天井照明面積を維持しつつ乗りかご内の付属品（例えば、液晶モニター等）との干渉を回避可能なエレベータ装置及びエレベータの乗りかごを実現できる。
【００２１】
また、顧客要求に依る乗りかご内付属品（液晶モニター）が設置されたとしても乗りかご内天井照明配置や意匠性を損なうことなく、天井照明及び器具交換時にもかご内からスムーズに交換・取付ができ、保守性にも違和感なく対応できる。
【００２２】
また、遮蔽板開閉時の保守員の安全性を確保することができる。
【００２３】
更にまた、既存のエレベータ装置に追加部品を取り付けることで本実施例の構成を実現できるものであり、比較的安価で有効な遮蔽板の開閉構造を得ることができる。
【００２４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の実施例の構成の追加・削除・置換をすることが可能である。
【符号の説明】
【００２５】
１  上天井
２  照明装置
７  遮蔽板取付用枠
７ａ  遮蔽板枠
９  第１の遮蔽板
１０  第２の遮蔽板
１１ａ  第１のロック装置
１１ｂ  第２のロック装置
１３ａ  第１の開閉ヒンジ
１３ｂ  第２の開閉ヒンジ
１４  スライドレール
１５  ライドレール取付用枠
１６ａ  第２の落下防止用金具
１６ｂ  第３の落下防止用金具
１９  第１の落下防止用金具
１９ａ  落下防止用ボルト
【図１】
2015003805.tif 000003
【図２】
2015003805.tif 000004
【図３】
2015003805.tif 000005
【図４】
2015003805.tif 000006
【図５】
2015003805.tif 000007